(57)【要約】  【課題】違和感なく確実に取り付けることができる耳止装置を提供する。  【解決手段】耳介Ａの対耳輪部Ｃの大きさには個人差が少ない。耳止具本体１の内側当接部６を対耳輪部Ｃの前面内側Ｄに当接させる。対耳輪部Ｃの前面外側Ｅに耳止具本体１の外側当接部８を当接させる。耳止具本体１の裏側当接部14を対耳輪部Ｃの裏面中央に当接させて押圧させる。内側当接部６、外側当接部８および裏側当接部14によって対耳輪部Ｃが前面内側Ｄ、前面外側Ｅおよび裏側中央の三点にて挟持される。対耳輪部Ｃに長時間装着させても痛みや違和感が生じにくい。装着者に痛みや違和感を与えることなく、装着者の耳介Ａに耳止具本体１を快適かつ安定させて確実に装着できる。  【選択図】図１
2005253958.tif 000002
【特許請求の範囲】
【請求項１】
耳介の対耳輪部に取り外し可能に取り付けられる耳止具本体を備え、
この耳止具本体は、
前記対耳輪部の前面内側に当接される第１の当接部と、
前記対耳輪部の前面外側に当接される第２の当接部と、
前記対耳輪部の後面に当接される第３の当接部とを有する
ことを特徴とした耳止具。
【請求項２】
耳止具本体は、略Ｃ字状で、
第１の当接部は、前記耳止具本体の一側縁に設けられ、
第２の当接部は、前記第１の当接部より前記耳止具本体の他側の内側に設けられ、
第３の当接部は、前記耳止具本体の他側縁に設けられた
ことを特徴とした請求項１記載の耳止具。
【請求項３】
耳止具本体は、第３の当接部より耳止具本体の一側に設けられこの耳止具本体を対耳輪部から取り外す際の引っ掛かりとなる引掛部を有する
ことを特徴とした請求項２記載の耳止具。
【発明の詳細な説明】
【技術分野】
【０００１】
本発明は、耳介に取り外し可能に取り付けられる、例えばイアリングのような装飾具やイヤホンなどの耳止具に関する。
【背景技術】
【０００２】
従来、この種の耳止具を有する装飾具としては、塑性変形可能な断面Ｃ字状の耳止具本体を有し、この耳止具本体に種々の装飾物が取り付けられている。そして、この装飾具の耳止具本体を、耳介の耳たぶより上方に位置する耳輪に引っ掛けて、この装飾具を耳介の中央部に取り付けられる構成が知られている(例えば、特許文献１参照。)。
【０００３】
また、この種の装飾具である耳飾りとしては、耳介の内側中央凹陥部に一端を嵌め込んで係止させるとともに、耳介の耳たぶの下部を包囲させて、この耳介に取り外し可能に係止させる構成が知られている(例えば、特許文献２参照。)。
【０００４】
さらに、この種の耳飾りであるイヤリングとしては、装飾具の上部に略Ｃ形の切欠きを形成して、この切欠きを耳介の耳外縁に取り外し可能に引っ掛けて係止させる構成が知られている(例えば、特許文献３参照。)。
【特許文献１】特許第３４１１４４６号公報
【特許文献２】実用新案登録第２５５７４７２号公報
【特許文献３】実公平７−２５０４９号公報
【発明の開示】
【発明が解決しようとする課題】
【０００５】
しかしながら、上述した装飾具、耳飾りおよびイヤリングでは、耳介の耳輪に引っ掛けたり、耳介の内側中央凹陥部に一端を嵌め込んで係止させ他端で耳介の耳たぶの下部を包囲させたり、略Ｃ形の切欠きを耳介の耳外縁に引っ掛けたりしているため、耳介への取り付けが容易ではなく、外れ易い。
【０００６】
特に、これら装飾具、耳飾りおよびイヤリング自体の弾性力を大きくするなどして、外れにくくした場合には、取り付けられている耳介に痛みが生じるおそれがある。また、これら装飾具、耳飾りおよびイヤリングに取り付けられている装飾物によって、さらに耳介が痛くなるなどという問題を有している。
【０００７】
本発明は、このような点に鑑みなされたもので、違和感なく確実に取り付けることができる耳止具を提供することを目的とする。
【課題を解決するための手段】
【０００８】
請求項１記載の耳止具は、耳介の対耳輪部に取り外し可能に取り付けられる耳止具本体を備え、この耳止具本体は、前記対耳輪部の前面内側に当接される第１の当接部と、前記対耳輪部の前面外側に当接される第２の当接部と、前記対耳輪部の後面に当接される第３の当接部とを有するものである。
【０００９】
そして、耳介の対耳輪部の前面内側および前面外側のそれぞれに第１の当接部および第２の当接部を当接させるとともに、この対耳輪部の後面に第３の当接部を当接させる。この結果、これら第１の当接部、第２の当接部および第３の当接部によって耳介の対耳輪部に前面の内側および外側と後面との少なくとも３点が当接する。したがって、これら第１の当接部、第２の当接部および第３の当接部を対耳輪部に当接させる力を余り大きくすることなく、この対耳輪部に確実に取り付けられるから、違和感なく確実に耳介に取り付けることができる。
【００１０】
請求項２記載の耳止具は、請求項１記載の耳止具において、耳止具本体は、略Ｃ字状で、第１の当接部は、前記耳止具本体の一側縁に設けられ、第２の当接部は、前記第１の当接部より前記耳止具本体の他側の内側に設けられ、第３の当接部は、前記耳止具本体の他側縁に設けられたものである。
【００１１】
そして、略Ｃ字状の耳止具本体の一側縁に第１の当接部を設けるとともに、この第１の当接部より耳止具本体の他側の内側に第２の当接部を設け、この耳止具本体の他側縁に第３の当接部を設けた。この結果、略Ｃ字状の耳止具本体の各部の曲率を適宜調整するだけで、この耳止具本体に第１の当接部、第２の当接部および第３の当接部のそれぞれを設けることができる。したがって、これら第１の当接部、第２の当接部および第３の当接部の形成を容易にできるから、製造性を向上できるとともに、これら第１の当接部、第２の当接部および第３の当接部を別途設ける必要がなくなるので、デザイン性を向上できる。
【００１２】
請求項３記載の耳止具は、請求項２記載の耳止具において、耳止具本体は、第３の当接部より耳止具本体の一側に設けられこの耳止具本体を対耳輪部から取り外す際の引っ掛かりとなる引掛部を有するものである。
【００１３】
そして、耳止具本体を対耳輪部から取り外す際の引っ掛かりとなる引掛部を、第３の当接部より耳止具本体の一側に設けた。この結果、耳止具本体を耳介の対耳輪部に取り付けた状態で、この耳止具本体の第３の当接部より一側に設けた引掛部に指や爪などを引っ掛けて、この耳止具本体を引くだけで、この耳止具本体を耳介の対耳輪部から確実に取り外すことができる。したがって、この耳止具本体の取り外しを確実かつ容易にできる。
【発明の効果】
【００１４】
請求項１記載の耳止具によれば、第１の当接部、第２の当接部および第３の当接部によって、耳介の対耳輪部に前面の内側および外側と後側からの少なくとも３点が当接されるので、これら第１の当接部、第２の当接部および第３の当接部を対耳輪部に当接させる力を余り大きくしなくても、この対耳輪部に確実に取り付けられるから、違和感なく確実に耳介に取り付けることができる。
【００１５】
請求項２記載の耳止具によれば、略Ｃ字状の耳止具本体の各部の曲率を適宜調整するだけで、この耳止具本体に第１の当接部、第２の当接部および第３の当接部のそれぞれを設けることができるから、これら第１の当接部、第２の当接部および第３の当接部の形成を容易にでき、製造性を向上できるとともに、これら第１の当接部、第２の当接部および第３の当接部を別途設ける必要がなくなるので、デザイン性を向上できる。
【００１６】
請求項３記載の耳止具によれば、耳介の対耳輪部に耳止具本体を取り付けた状態で、この耳止具本体に設けた引掛部に指や爪などを引っ掛けて、この耳止具本体を引くだけで、この耳止具本体を耳介の対耳輪部から確実に取り外すことができるので、この耳止具本体の取り外しを確実かつ容易にできる。
【発明を実施するための最良の形態】
【００１７】
本発明の第１の実施の形態の耳止具の構成を図１ないし図４を参照して説明する。
【００１８】
図１ないし図４において、１は耳止具としての耳止具本体である。この耳止具本体１は、装着者の耳介Ａの耳たぶとしての耳垂部Ｂより上部の対耳輪部Ｃに着脱自在に装着される止着装置である。具体的に、この耳止具本体１は、イヤリングなどに用いられる止着具であり、装着者の耳介Ａの対耳輪部Ｃに被取付物としての装飾具である装飾物２などを取り外し可能に取り付けさせる。
【００１９】
また、この耳止具本体１は、弾性を有する弾力のある素材であるとともに、塑性変形可能な材質にて構成されている。そして、この耳止具本体１は、細長矩形平板状の板体を幅方向に沿って屈曲させた上面視略Ｌ字状に形成されている。この耳止具本体１の長手方向の中央部には、この耳止具本体１の長手方向の一端側に対して、この耳止具本体１の他端側を略直角に屈曲させた屈曲部４が設けられている。この屈曲部４は、耳止具本体１の幅方向に亘って設けられている。
【００２０】
そして、この屈曲部４よりも耳止具本体１の一端側である、この耳止具本体１の先端部には、この耳止具本体１の屈曲部４の屈曲方向である内側に向けて湾曲して突出した凸弧状の第１の湾曲部５が設けられている。ここで、屈曲部４より他端側の耳止具本体１の内側面に対向した第１の湾曲部５の内側面の屈曲部４寄りの部分は、耳止具本体１を耳介Ａの対耳輪部Ｃに取り付けた際に、この対耳輪部Ｃの前面の内側面である前面内側Ｄに接触して、この対耳輪部Ｃの前面内側Ｄに当接されて支持される第１の当接部としての内側当接部６となる。この内側当接部６は、屈曲部４より他端側に位置する耳止具本体１の内側面に対して略平行に対向する部分である。
【００２１】
また、第１の湾曲部５と屈曲部４との間の耳止具本体１には、この第１の湾曲部５と同じ方向である内側に向けて湾曲して突出した凸弧状の第２の湾曲部７が設けられている。この第２の湾曲部７は、第１の湾曲部５の約２分の１程度の幅寸法および高さ寸法を有する上面視凸弧状に形成されている。また、この第２の湾曲部７は、第１の湾曲部５の基端側に連続して設けられている。
【００２２】
ここで、屈曲部４より他端側の耳止具本体１の内側面に対向した第２の湾曲部７の内側面の第１の湾曲部５寄りの部分は、耳止具本体１を耳介Ａの対耳輪部Ｃに取り付けた際に、この対耳輪部Ｃの前面の外側面である前面外側Ｅに接触して、この対耳輪部Ｃの前面外側Ｅに当接されて支持される第２の当接部としての外側当接部８となる。この外側当接部８は、第１の湾曲部５に設けられている内側当接部６に対向する位置に設けられている。
【００２３】
さらに、第２の湾曲部７と屈曲部４との間には、これら第２の湾曲部７と屈曲部４との間を離間させる平板状の平板部９が設けられている。この平板部９は、第２の湾曲部７の幅方向の両端部間の距離に略等しい幅寸法を有しており、耳止具本体１の幅方向に亘って設けられている。また、屈曲部４より耳止具本体１の基端側には、平板状の間隔保持部11が設けられている。この間隔保持部11は、第１の湾曲部５および第２の湾曲部７のそれぞれから耳止具本体１の基端側を離間させる。
【００２４】
すなわち、この間隔保持部11は、平板部９とともに、耳止具本体１を耳介Ａの対耳輪部Ｃに取り付けた際に、この耳介Ａの耳輪Ｆを幅方向に亘って覆うように構成されている。さらに、この間隔保持部11の外側面は、様々なデザインや宝飾などが施されたデザイン性に優れた装飾物２を接合させる接合面とされており、この装飾物２が取り付けられて固定される。
【００２５】
そして、この間隔保持部11の長手方向の一端である基端縁には、挟着部としての挟持部材である矩形平板状の挟持片部12の基端縁が回動可能に取り付けられている。この挟持片部12は、間隔保持部11の幅方向に直交する方向に向けて回動可能に設けられている。また、この挟持片部12の先端部には、この挟持片部12の先端部を円状に湾曲させて形成された保持部13が設けられている。この保持部13は、挟持片部12の幅方向に亘って設けられており、この挟持片部12の先端部を円状に膨らませている。
【００２６】
ここで、この保持部13の先端部は、挟持片部12を耳止具本体１の屈曲部４側に向けて回動させて、この耳止具本体１を耳介Ａの対耳輪部Ｃに取り付けた際に、この対耳輪部Ｃの後面である裏面Ｇから、この対耳輪部Ｃに当接されて支持される第３の当接部としての後側当接部である裏側当接部14となる。この裏側当接部14は、図１および図４に示すように、内側当接部６および外側当接部８にて当接支持される対耳輪部Ｃの前面内側Ｄと前面外側Ｅとの間の後側である裏側から、この対耳輪部Ｃを押圧して挟着させる。すなわち、この裏側当接部14は、耳止具本体１を耳介Ａの対耳輪部Ｃに取り付けた際に、この対耳輪部Ｃを内側当接部６および外側当接部８によって挟持して、この耳止具本体１を耳介Ａに固定させる。言い換えると、この裏側当接部14は、耳介Ａの対耳輪部Ｃの裏面Ｇの内側面である裏面内側Ｈと、この対耳輪部Ｃの裏面Ｇの外側面である裏面外側Ｉとの間に位置する裏面中央Ｊから、この対耳輪部Ｃを内側当接部６および外側当接部８へと押し付ける。
【００２７】
このとき、この裏側当接部14は、この裏側当接部14を耳介Ａの対耳輪部Ｃに当接させた状態で、耳止具本体１の内側当接部６および外側当接部８によって、これら内側当接部６、外側当接部８とともに略正三角形の各角部に位置するように構成されている。したがって、これら内側当接部６、外側当接部８および裏側当接部14のそれぞれは、これら内側当接部６、外側当接部８および裏側当接部14にて耳介Ａの対耳輪部Ｃを挟持して保持した際に、この対耳輪部Ｃを周方向に沿って等間隔に離間させた位置に当接される。すなわち、これら内側当接部６、外側当接部８および裏側当接部14は、耳介Ａの対耳輪部Ｃを、前面内側Ｄ、前面外側Ｅおよび裏面中央Ｊの三方向から挟着して、この対耳輪部Ｃに耳止具本体１を安定させて確実に固定させる。
【００２８】
さらに、挟持片部12は、この挟持片部12が間隔保持部11の内側面から離れる方向に回動させることによって、耳止具本体１を耳介Ａの対耳輪部Ｃから取り外せるように構成されている。ここで、この挟持片部12の基端側の間隔保持部11の基端縁に連結されている部分には、この挟持片部12の保持部13を間隔保持部11の内側に向けて付勢する付勢手段としての図示しない弾性体が取り付けられている。すなわち、この弾性体は、耳止具本体１の内側当接部６および外側当接部８のそれぞれを耳介Ａの対耳輪部Ｃの前面内側Ｄおよび前面外側Ｅに当接させた状態で、この対耳輪部Ｃの裏面中央Ｊを挟持片部12の裏側当接部14を介して付勢させる。
【００２９】
次に、上記第１の実施の形態の耳止具の作用について説明する。
【００３０】
まず、装着者の耳介Ａの対耳輪部Ｃの前面内側Ｄに耳止具本体１の内側当接部６を当接させるとともに、この耳止具本体１の外側当接部８を耳介Ａの対耳輪部Ｃの前面外側Ｅに当接させる。
【００３１】
この状態で、この耳止具本体１の挟持片部12を耳介Ａの対耳輪部Ｃの裏面Ｇ側に向けて回動させて、この挟持片部12の裏側当接部14を耳介Ａの対耳輪部Ｃの裏面中央Ｊに当接させる。
【００３２】
このとき、この挟持片部12と耳止具本体１の間隔保持部11との間に取り付けた弾性体の弾性力によって、この挟持片部12の裏側当接部14と内側当接部６および外側当接部８とによって耳介Ａの対耳輪部Ｃが挟持される。
【００３３】
この結果、この耳介Ａの対耳輪部Ｃが、この対耳輪部Ｃの前面内側Ｄ、前面外側Ｅおよび裏面中央Ｊの三方向から、耳止具本体１の内側当接部６、外側当接部８および裏側当接部14のそれぞれによって挟持され、この対耳輪部Ｃに耳止具本体１が安定して確実に固定されて装着される。
【００３４】
したがって、この耳止具本体１に取り付けられている装飾物２を、耳介Ａの耳垂部Ｂよりも上部に取り付けることができる。
【００３５】
この状態で、この耳止具本体１の挟持片部12の裏側当接部14に指先を掛けるなどして、この挟持片部12と耳止具本体１との間に取り付けられている弾性体の弾性力に抗して、この挟持片部12を耳止具本体１の間隔保持部11の外側面側に向けて回動させる。
【００３６】
この結果、耳止具本体１の裏側当接部14による耳介Ａの対耳輪部Ｃの裏面中央Ｊからの押し付けが解除されるので、この耳介Ａの対耳輪部Ｃから耳止具本体１が取り外せる。
【００３７】
ここで、耳介Ａの耳輪Ｆおよび舟状窩部Ｈの大きさは、個人差が大きく、厚みがある人や長い人などが存在する。これに対し、耳介Ａの対耳輪部Ｃは、この対耳輪部Ｃが突出する向きには個人差があるが、この対耳輪部Ｃの大きさについて個人差が少ない。
【００３８】
そこで、上記第１の実施の形態のように、耳止具本体１の内側当接部６を耳介Ａの対耳輪部Ｃの前面内側Ｄに当接させるとともに、この耳介Ａの対耳輪部Ｃの前面外側Ｅに耳止具本体１の外側当接部８を当接させた状態で、この耳止具本体１の挟持片部12を回動させて、この挟持片部12の裏側当接部14にて耳介Ａの対耳輪部Ｃの裏面中央Ｊを弾性体の弾性力にて押圧させて挟着させる。
【００３９】
この結果、耳介Ａの対耳輪部Ｃの凹凸を活用して利用したことにより、耳止具本体１の内側当接部６、外側当接部８および裏側当接部14にて、耳介Ａの対耳輪部Ｃが幅方向に沿って等間隔に離間された前面内側Ｄ、前面外側Ｅおよび裏側中央Ｊの三点で、この耳介Ａの対耳輪部Ｃが前面および裏面Ｇから挟着される。
【００４０】
同時に、これら内側当接部６、外側当接部８および裏側当接部14による耳介Ａの対耳輪部Ｃを挟持する面積、すなわち挟着面が広くなる。よって、この耳介Ａの対耳輪部Ｃの裏面Ｇに裏側当接部14を押圧する弾性体の弾性力、すなわち耳止具本体１の内側当接部６、外側当接部８および裏側当接部14を対耳輪部Ｃに当接させる力を余り大きくすることなく、耳止具本体１を確実かつ安定させて耳介Ａの対耳輪部Ｃに取り付けることができる。
【００４１】
このため、この耳止具本体１にて耳介Ａの対耳輪部Ｃを挟持する力を小さくできるから、この耳止具本体１を耳介Ａの対耳輪部Ｃに長時間装着させていても、痛みや違和感が生じにくい。よって、装着者に痛みや違和感を与えることなく、この装着者の耳介Ａに耳止具本体１を快適かつ安定させて確実に装着できる。
【００４２】
また、耳止具本体１にて耳介Ａの対耳輪部Ｃを挟持する力を小さくできるから、この耳止具本体１をより細くて小さくすることが可能である。したがって、この耳止具本体１をより目立たなくできるので、この耳止具本体１に装飾物２が取り付けられたイヤリングをより美しくできるから、より美しいイヤリングを提供できる。
【００４３】
さらに、この耳止具本体１の挟持片部12の裏側当接部14に指先などを掛けて、この挟持片部12を弾性体の弾性力に抗して外側に回動させるだけで、この耳止具本体１を耳介Ａの対耳輪部Ｃから取り外すことができる。したがって、この耳止具本体１の取り外し作業も容易になるから、この耳止具本体１を止めたり外したりする脱着作業を容易にできる。
【００４４】
なお、上記第１の実施の形態では、上面視略Ｌ字状の耳止具本体１について説明したが、図５に示す第２の実施の形態のように、上面視略楕円状である略Ｃ字状の耳止具本体１とすることもできる。この耳止具本体１は、細長平板状の金属素材にて構成されている。そして、この耳止具本体１の長手方向の一端部である先端部には、約１２０゜程度の角度で内側に向けて円弧状に湾曲した先端湾曲部21が一体的に設けられている。この先端湾曲部21の先端部には、約１８０゜程度の角度でさらに内側に向けて円弧状に湾曲した保持湾曲部22が一体的に連続して設けられている。この保持湾曲部22は、先端湾曲部21の先端部を反転させるように半円状に形成されている。
【００４５】
また、この保持湾曲部22の先端部には、この保持湾曲部22が湾曲している方向とは反対側である外側に向けて約９０゜程度の角度で湾曲した当接湾曲部23が一体的にさらに連続して設けられている。この当接湾曲部23は、この当接湾曲部23の先端側の内側面を先端湾曲部21の基端部の内側面に近接されている。ここで、この当接湾曲部23の基端側の外側面が、耳介Ａの対耳輪部Ｃの前面内側Ｄに当接される内側当接部６となる。また、この当接湾曲部23の先端側の外側面が、耳介Ａの対耳輪部Ｃの前面外側Ｅに当接される外側当接部８となる。
【００４６】
一方、耳止具本体１の長手方向の他端部である基端部には、この基端部を約１８０゜程度の角度で耳止具本体１の先端側に向けて円弧状に湾曲した基端湾曲部24が一体的に設けられている。この基端湾曲部24は、保持湾曲部22の内径寸法よりも小さな内径寸法を有するように半円状に湾曲している。すなわち、この基端湾曲部24は、この基端湾曲部24の先端部の内側面が、耳止具本体１の内側面に平行に対向するように設けられている。
【００４７】
また、この基端湾曲部24の先端部には、この基端湾曲部24が湾曲している方向とは反対側である外側に向けて３６０゜湾曲した円状の押付湾曲部25が一体的に連続して設けられている。この押付湾曲部25の先端部は、基端湾曲部24の先端部の外側面に一体的に連結されている。さらに、この押付湾曲部25は、この押付湾曲部25の外側に位置する面が、当接湾曲部23の内側面に対して略平行となるように湾曲している。そして、この押付湾曲部25の当接湾曲部23の内側面に対向する部分が、耳介Ａの対耳輪部Ｃの裏面中央Ｊに当接されて押圧させる裏側当接部14となる。この裏側当接部14は、当接湾曲部23の内側当接部６と外側当接部８との間に対向するように設けられている。
【００４８】
さらに、耳止具本体１の基端湾曲部24の外側面には、この耳止具本体１を耳介Ａの対耳輪部Ｃから取り外す際の引っ掛かりとなる引掛部としての引掛凸部26が一体的に突設されている。この引掛凸部26は、耳止具本体１の中央部の内側面に対向した基端湾曲部24の先端部の外側面に設けられている。すなわち、この引掛凸部26は、裏側当接部14より耳止具本体１の一側である先端側に設けられている。そして、この引掛凸部26は、基端湾曲部24の外側面に対して垂直に突出しており、耳止具本体１の厚さ寸法程度の高さ寸法を有している。さらに、この引掛凸部26は、基端湾曲部24の幅方向に亘って設けられている。
【００４９】
上述したように、上記第２の実施の形態によれば、耳止具本体１の当接湾曲部23の先端側および基端側の外側面が外側当接部８および内側当接部６となって、耳介Ａの対耳輪部Ｃの前面内側Ｄおよび前面外側Ｅのそれぞれに当接される。さらに、耳止具本体１の押圧湾曲部25の当接湾曲部23の内側面に対向する部分が裏側当接部14となって、耳介Ａの対耳輪部Ｃの裏面中央Ｊに当接されて押圧させる。したがって、これら内側当接部６、外側当接部８および裏側当接部14によって、耳介Ａの対耳輪部Ｃが前面内側Ｄ、前面外側Ｅおよび裏側中央Ｊの三点で当接されて挟着されるから、上記第１の実施の形態と同様の作用効果を奏することができる。
【００５０】
さらに、耳止具本体１の基端湾曲部24の外側に、この耳止具本体１を対耳輪部Ｃから取り外す際の引っ掛かりとなる引掛凸部26を設けた。この結果、この耳止具本体１を耳介Ａの対耳輪部Ｃに取り付けた状態で、この耳止具本体１の引掛凸部26に指先や爪先などを引っ掛けて、この耳止具本体１を前側に引くことによって、この耳止具本体１が耳介Ａの対耳輪部Ｃから確実に取り外せる。したがって、耳止具本体１の引掛凸部26に指先や爪先などを引っ掛けて前側に引く動作だけで、この耳止具本体１を取り外せるから、この耳止具本体１の取り外し作業を確実かつ容易にできる。
【００５１】
また、この引掛凸部26を耳止具本体１の基端湾曲部24の外側面に設けたことにより、この耳止具本体１を耳介Ａの対耳輪部Ｃに取り付けた際に、この耳介Ａの耳輪Ｆの裏面側に引掛凸部26が位置する。したがって、耳介Ａの対耳輪部Ｃに耳止具本体１を取り付けた状態で、この耳止具本体１の引掛凸部26が耳介Ａの耳輪Ｆによって裏側に隠れるから、この引掛凸部26が耳止具本体１の装着時に目立たない。よって、デザイン性を損なわせることなく、耳止具本体１の取り外し作業を容易にできるから、デザイン性を維持しつつ耳止具本体１の使い勝手をより向上できる。
【００５２】
さらに、図６に示す第３の実施の形態のように、細長帯状体を折り曲げて耳止具本体１とすることもできる。この場合、この耳止具本体１の長手方向の中央部は、この耳止具本体１の内側に向けて円弧状に湾曲されている。そして、この耳止具本体１の長手方向の一端部である先端部は、この耳止具本体１の中央部へと折り返されて第１の折り返し部31とされている。この第１の折り返し部31と耳止具本体１の中央部との間の円状に折り返された部分が第１の当接片部32となる。そして、この第１の当接片部32の外側面が、耳介Ａの対耳輪部Ｃの前面内側Ｄに当接される内側当接部６として機能する。
【００５３】
また、第１の折り返し部31の先端部は、この第１の折り返し部31を折り返した方向の反対側である外側に向けて上面視円状に折り返されて第２の当接片部33とされている。この第２の当接片部33の先端部は、第１の折り返し部31の外側に位置する面に対向して近接されている。ここで、この第２の当接片部33の外側に位置する面が、耳介Ａの対耳輪部Ｃの前面外側Ｅに当接される外側当接部８として機能する。
【００５４】
一方、耳止具本体１の長手方向の他端部である基端部には、この耳止具本体１の内側に向けて湾曲された基端湾曲部24が設けられている。そして、この基端湾曲部24の先端部には、外側に向けて折り返されて第２の折り返し部34が設けられている。この第２の折り返し部34は、基端湾曲部24の外側に位置する面に先端部が近接するように折り返されている。そして、この第２の折り返し部34と基端湾曲部24との間の円状に折り返された部分が第３の当接片部35となる。そして、この第３の当接片部35の外側面が、耳介Ａの対耳輪部Ｃの裏面中央Ｊに当接されて押圧させる裏側当接部14として機能する。さらに、この第３の当接片部35の先端部には、この第３の当接片部35の外側に向けて約１２０゜程度折り返されて構成された引掛凸部26が設けられている。
【００５５】
この結果、耳止具本体１の第１の当接片部32の外側面が内側当接部６となるとともに、第２の当接片部33の外側に位置する面が外側当接部８となって、耳介Ａの対耳輪部Ｃの前面内側Ｄおよび前面外側Ｅに当接される。さらに、耳止具本体１の第３の当接片部35の外側面が裏側当接部14となって、耳介Ａの対耳輪部Ｃの裏面中央Ｊに当接されて押圧させる。したがって、これら内側当接部６、外側当接部８および裏側当接部14によって、耳介Ａの対耳輪部Ｃが前面内側Ｄ、前面外側Ｅおよび裏側中央Ｊの三点で当接される。また、第３の当接片部35の先端部を折り返して引掛凸部26とした。よって、上記第２の実施の形態と同様の作用効果を奏することができる。
【００５６】
さらに、図７に示す第４の実施の形態のように、弾性力を有し塑性変形可能な合成樹脂で耳止具本体１を構成することもできる。この耳止具本体１は、上面視略Ｃ字状に形成されている。そして、この耳止具本体１の長手方向の一端部である先端部には、上面視円状に膨らまされた形状の第１の当接突部41が一体的に設けられている。この第１の当接突部41は、耳止具本体１の一側縁に設けられており、この耳止具本体１の長手方向の他端である基端側に向けて突出している。ここで、この第１の当接突部41の外周面が、耳介Ａの対耳輪部Ｃの前面内側Ｄに当接される内側当接部６として機能する。
【００５７】
そして、耳止具本体１の内側面の長手方向の中央部には、この内側面から略垂直に突出した第２の当接突部42が一体的に設けられている。この第２の当接突部42は、第１の当接突部41よりも耳止具本体１の他側である他端側の内側に設けられている。そして、この第２の当接突部42は、上面視凸状に設けられており、耳止具本体１の基端縁に向けて突出している。ここで、この第２の当接突部42の外側面が、耳介Ａの対耳輪部Ｃの前面外側Ｅに当接される外側当接部８として機能する。
【００５８】
さらに、耳止具本体１の基端部には、上面視円状に膨らまされた形状の第３の当接突部43が一体的に設けられている。この第３の当接突部43は、耳止具本体１の長手方向の他端である他側縁に設けられている。そして、この第３の当接突部43は、第２の当接突部42の先端部に向かって突出している。ここで、この第３の当接突部43の外周面が、耳介Ａの対耳輪部Ｃの裏面中央Ｊに当接されて押圧させる裏側当接部14として機能する。
【００５９】
また、この第３の当接突部43よりも耳止具本体１の先端側に引掛凸部26が一体的に突設されている。この引掛凸部26は、第２の当接突部42に対向する耳止具本体１の基端側の外側面に設けられている。そして、この引掛凸部26の耳止具本体１の基端側に位置する一側面には、この引掛凸部26の基端側から先端側に向けて先細状に傾斜した傾斜面部44が設けられている。この傾斜面部44は、引掛凸部26の先端側から基端側に向けて、耳止具本体１の基端側に傾斜している。
【００６０】
この結果、耳止具本体１の第１の当接突部41の外側面が内側当接部６となるとともに、第２の当接突部42の外側面が外側当接部８となって、耳介Ａの対耳輪部Ｃの前面内側Ｄおよび前面外側Ｅに当接される。さらに、耳止具本体１の第３の当接突部43の外側面が裏側当接部14となって、耳介Ａの対耳輪部Ｃの裏面中央Ｊに当接されて押圧させる。また、この第３の当接突部43より耳止具本体１の先端側に引掛凸部26を突設させた。したがって、上記第２の実施の形態と同様の作用効果を奏することができる。
【００６１】
このとき、耳止具本体１の内側当接部６、外側当接部８および裏側当接部14のそれぞれを、この耳止具本体１の内側面よりも内側に突出した突状の第１の当接突部41、第２の当接突部42および第３の当接突部43にて構成したが、これら内側当接部６、外側当接部８および裏側当接部14それぞれにて、ある程度の割合の人の耳介Ａの対耳輪部Ｃに耳止具本体１を装着できれば、これら内側当接部６、外側当接部８および裏側当接部14のそれぞれを耳止具本体１の内周面よりも突出させた突部で形成しなくてもよい。すなわち、これら内側当接部６、外側当接部８および裏側当接部14を耳止具本体１の内周面よりも突出させずに、この耳止具本体１の内周面の形状を変化させて、この耳止具本体１の内周面の先端部、中間部および基端部のそれぞれを内側当接部６、外側当接部８および裏側当接部14として作用させることもできる。この場合、外側当接部８から内側当接部６までの内周面によって形成される円弧状の空間の面積を、外側当接部８から裏側当接部14までの内周面によって形成される円弧状の空間の面積よりも小さくすると良い。
【００６２】
さらに、図８に示す第５の実施の形態のように、丸型の耳止具本体１とすることもできる。この場合、この耳止具本体１は、上面視で略円形である円弧状に形成されている。そして、この耳止具本体１の先端部に第１の当接突部41が一体的に設けられているとともに、この第１の当接突部41よりも基端側の耳止具本体１の内側面に第２の当接突部42が一体的に設けられている。ここで、第１の当接突部41の外側面が内側当接部６として機能し、第２の当接突部42の外側面が外側当接部８として機能する。
【００６３】
また、耳止具本体１の基端部には、この耳止具本体１の基端部を二股に分割させる一対の分割片部51が設けられている。これら一対の分割片部51は、上面視凹弧状の長手方向の中央部が、耳止具本体１の基端縁に一体的に接続されて構成されている。そして、これら一対の分割片部51のうち、耳止具本体１の内側面に近接する側に位置する分割片部51の先端部に第３の当接突部43が一体的に設けられている。ここで、この第３の当接突部43の外側面が裏側当接部14として機能する。
【００６４】
さらに、一対の分割片部51のうち、耳止具本体１の外側面に近接する側に位置する分割片部51の先端部には、上面視円状の第４の当接突部52が一体的に設けられている。この第４の当接突部52は、第３の当接突部43と同様の大きさの上面視円形状に形成されている。また、耳止具本体１の外側面の基端側に引掛凸部26が設けられている。
【００６５】
この結果、耳止具本体１の第１の当接突部41の外側面が内側当接部６となるとともに、第２の当接突部42の外側面が外側当接部８となって、耳介Ａの対耳輪部Ｃの前面内側Ｄおよび前面外側Ｅに当接される。さらに、耳止具本体１の第３の当接突部43の外側面が裏側当接部14となって、耳介Ａの対耳輪部Ｃの裏面中央Ｊが当接されて押圧される。また、耳止具本体１の外側面の基端側に引掛凸部26を突設させた。したがって、上記第４の実施の形態と同様の作用効果を奏することができる。
【００６６】
また、図９に示す第６の実施の形態のように、ねじ式の耳止具本体１とすることもできる。この場合、この耳止具本体１は、上面視略凹字状に形成されている。そして、この耳止具本体１の先端部は、第１の屈曲部61によって、この耳止具本体１の中央部に対して内側に直角に屈曲されている。また、この耳止具本体１の基端部は、第２の屈曲部62によって、この耳止具本体１の中央部に対して内側に直角に屈曲されている。すなわち、この耳止具本体１の先端部および基端部それぞれは、同じ向き、すなわち耳止具本体１の内側に向けて直角に屈曲されている。
【００６７】
そして、この耳止具本体１の先端部には、この耳止具本体１の内側に向けて円弧状に折り返された第１の当接片部32が一体的に設けられている。この第１の当接片部32の先端部は、耳止具本体１の内側面に対向して近接している。ここで、この第１の当接片部32の先端側の外側面が内側当接部６となる。また、この第１の当接片部32より基端側の耳止具本体１には、この耳止具本体１を内側に向けて上面視円弧状に湾曲させて構成された第２の当接片部33が一体的に設けられている。この第２の当接片部33は、第１の当接片部32と第１の屈曲部61との間に位置する耳止具本体１自体を、この耳止具本体１の内側に向けて円状に膨らませたように湾曲されて構成されている。ここで、この第２の当接片部33の内側面の先端側が外側当接部８として機能する。
【００６８】
一方、耳止具本体１の基端部には、別体に構成された上面視円弧状の第３の当接片部35の基端側が回動可能に取り付けられて連結されている。この第３の当接片部35は、第１の当接片部32および第２の当接片部33それぞれに向けて突出した上面視円弧状に形成されている。そして、この第３の当接片部35は、耳止具本体１の幅方向に直交する方向に向けて回転可能に、この耳止具本体１の基端縁に接続されている。また、この耳止具本体１の基端部には、第３の当接片部35を押圧して回動させる押圧手段としてのねじ体63が螺合されるねじ孔64が穿設されている。このねじ孔64は、このねじ孔64に取り付けられているねじ体63で第３の当接片部35を押圧して、この第３の当接片部35を第１の当接片部32および第２の当接片部33に接近させる位置に設けられている。
【００６９】
ここで、ねじ体63は、外周面にねじ溝が形成された軸部65を備えている。この軸部65の基端側には、この軸部65を回転させる際の把持部となる円盤状のつまみ部66が同心状に一体的に設けられている。そして、このねじ体63は、このねじ体63の軸部65を耳止具本体１の外側からねじ孔64に螺合させて取り付けられている。すなわち、このねじ体63は、つまみ部66をつまんでねじ体63を回転させることによって、耳止具本体１の厚さ方向に沿って移動するように取り付けられている。
【００７０】
この結果、耳止具本体１の第１の当接片部32の外側面が内側当接部６となるとともに、第２の当接片部33の内側面が外側当接部８となって、耳介Ａの対耳輪部Ｃの前面内側Ｄおよび前面外側Ｅに当接される。さらに、耳止具本体１の第３の当接片部35の外側面が裏側当接部14となって、耳介Ａの対耳輪部Ｃの裏面中央Ｊに当接されて押圧される。そして、ねじ体63を回転して第３の当接片部35による押圧を解除することによって耳止具本体１が取り外せる。よって、上記第４の実施の形態と同様の作用効果を奏することができる。
【００７１】
さらに、耳止具本体１を耳介Ａの対耳輪部Ｃに取り付けた状態で、この耳止具本体１のねじ体63のつまみ部66をつまんで、このねじ体63の軸部65を回転させることによって、このねじ体63の軸部65を後退させる。この結果、ねじ体63の軸部65にて押し付けられていた第３の当接片部35が回動して、この第３の当接片部35と第１の当接片部32および第２の当接片部33との間の距離が広くなるから、耳止具本体１を耳介Ａの対耳輪部Ｃから容易かつ確実に取り外すことができる。
【００７２】
また、ねじ体63のつまみ部66をつまんで、このねじ体63を回転させることによって、このねじ体63の軸部65の先端部による第３の当接片部35と第１の当接片部32および第２の当接片部33との間の距離を変更できる。したがって、これら第３の当接片部35と第１の当接片部32および第２の当接片部33との間の距離を、装着者の耳介Ａの対耳輪部Ｃの大きさや厚さに合わせて調整できるとともに、ねじ体63を回転させて第３の当接片部35を適宜回転させることにより、この第３の当接片部35による耳介Ａの対耳輪部Ｃの裏面中央Ｊを押し付ける力を変更できる。このため、より多くの人々の耳介Ａの対耳輪部Ｃに耳止具本体１を確実かつ容易に装着できるので、この耳止具本体１の使い勝手をより向上できる。
【００７３】
さらに、図１０に示す第７の実施の形態のように、ばね式の耳止具本体１とすることもできる。この場合、この耳止具本体１は、屈曲部４にて中央部が屈曲された上面視Ｖ字状に形成されている。この耳止具本体１の先端部には、この耳止具本体１の先端側の内側へと折り返されて構成された第１の当接片部32が一体的に設けられている。この第１の当接片部32は、中央部が耳止具本体１の基端側に向けて突出した上面視円弧状に形成されている。ここで、この第１の当接片部32の先端側の外側面が内側当接部６として機能する。また、この第１の当接片部32の先端部には、耳止具本体１の基端側の内側に向けて屈曲された第２の当接片部33が一体的に設けられている。この第２の当接片部33は、第１の当接片部32の先端側に対して略直角に屈曲している。ここで、この第２の当接片部33の外側面が外側当接部８として機能する。
【００７４】
一方、耳止具本体１の基端部には、細長筒状のばね支持部71が取り付けられている。このばね支持部71は、このばね支持部71の軸方向の一端側である先端側が開口して開口部72とされている。そして、このばね支持部71の軸方向の他端部である基端部は、耳止具本体１の基端部に回動可能に取り付けられて接続されている。さらに、このばね支持部71は、耳止具本体１の幅方向に直交する方向に向けて回転可能に取り付けられている。
【００７５】
そして、このばね支持部71の内部には、螺旋状に巻回された形状の弾性体としてのばね体である巻ばね73が挿入されて取り付けられている。この巻ばね73は、ばね支持部71の軸方向に軸方向を沿わせた状態で、このばね支持部71の開口部72から挿入されて取り付けられている。そして、このばね支持部71の開口部72には、先端部に第３の当接突部43が一体的に設けられている押付手段としての押付部材74が進退可能に挿入されている。
【００７６】
この押付部材74は、細長棒状の本体部75を有しており、この本体部75の基端側がばね支持部71の開口部72から、このばね支持部71内に挿入されている。そして、この押付部材74は、ばね支持部71内に挿入させた巻ばね73の弾性力によって、第３の当接突部43の先端部が、第１の当接片部32および第２の当接片部33それぞれの外側面に向けて押し付けられるように構成されている。したがって、この押付部材74は、ばね支持部71内の巻ばね73が有する弾性力によって、この押付部材74の本体部75が先端側に向けて付勢されて、この第３の当接突部43の先端部を、第１の当接片部32および第２の当接片部33側に向けて付勢されている。ここで、この第３の当接突部43の先端部が裏側当接部14として機能する。
【００７７】
この結果、耳止具本体１の第１の当接片部32の先端側の外側面が内側当接部６となるとともに、第２の当接片部33の外側面が外側当接部８となって、耳介Ａの対耳輪部Ｃの前面内側Ｄおよび前面外側Ｅに当接される。さらに、耳止具本体１の第３の当接突部43の先端部が裏側当接部14となって、ばね支持部71内の巻ばね73の弾性力にて耳介Ａの対耳輪部Ｃの裏面中央Ｊに当接されて押圧させる。そして、この巻ばね73の弾性力に抗して押付部材74を基端側に移動させることによって耳介Ａの対耳輪部Ｃから耳止具本体１が取り外せる。したがって、上記第６の実施の形態と同様の作用効果を奏することができる。
【００７８】
なお、上記各実施の形態では、耳介Ａの対耳輪部Ｃに装着される耳止具本体１について説明したが、この耳止具本体１を、耳垂部Ｂに取り付けられる別体のイヤリングやピアスなどに鎖などで連結させることもできる。また、この耳止具本体１の挟着面、すなわち内側当接部６、外側当接部８および裏側当接部14の少なくとも１つに、スポンジなどの柔らかい弾力のある図示しない素材を貼り付けるなどして装着させることによって、この耳止具本体１をさらに違和感なく快適に装着できる。
【００７９】
また、耳止具本体１に宝飾物２を取り付けてイヤリングとして宝飾物２を耳介Ａに装着させる構成について説明したが、例えばヘッドホン、イヤホンあるいは補聴器などの耳介Ａに取り付けて使用される種々の物品に対応させて用いることもできる。この結果、これらヘッドホン、イヤホンあるいは補聴器などの耳介Ａに取り付けて使用される種々の物品を、確実かつ容易に耳介Ａに取り外し可能に装着できるから、上記各実施の形態と同様の作用効果を奏することができる。
【００８０】
さらに、金属や合成樹脂などで耳止具本体１を構成したが、これら金属および合成樹脂以外の種々の素材で耳止具本体１を構成することもできる。
【図面の簡単な説明】
【００８１】
【図１】本発明の第１の実施の形態の耳止具の装着状態を示す説明斜視図である。
【図２】同上耳止具を示す斜視図である。
【図３】同上耳止具が装着される耳介を示す説明図である。
【図４】図３中のａ−ａ断面図である。
【図５】本発明の第２の実施の形態の耳止具を示す平面図である。
【図６】本発明の第３の実施の形態の耳止具を示す平面図である。
【図７】本発明の第４の実施の形態の耳止具を示す平面図である。
【図８】本発明の第５の実施の形態の耳止具を示す平面図である。
【図９】本発明の第６の実施の形態の耳止具を示す平面図である。
【図１０】本発明の第７の実施の形態耳止具を示す平面図である。
【符号の説明】
【００８２】
１    耳止具としての耳止具本体
６    第１の当接部としての内側当接部
８    第２の当接部としての外側当接部
14    第３の当接部としての裏側当接部
26    引掛部としての引掛凸部
Ａ    耳介
Ｃ    対耳輪部
Ｄ    前面内側
Ｅ    前面外側
【図１】
2005253958.tif 000003
【図２】
2005253958.tif 000004
【図３】
2005253958.tif 000005
【図４】
2005253958.tif 000006
【図５】
2005253958.tif 000007
【図６】
2005253958.tif 000008
【図７】
2005253958.tif 000009
【図８】
2005253958.tif 000010
【図９】
2005253958.tif 000011
【図１０】
2005253958.tif 000012